(57)【要約】【課題】２個の異なるデジタル信号を同時に伝送することができると共に、送信時の電力消費を抑えることができるデジタル信号の送信方法を提供する。【解決手段】第１の変調工程において、第１の伝送レートで変化する２値以上の多値の第１のデジタル信号のデータ値に応じて、第１の伝送レートで搬送波の周波数または位相を変化させる。第２の変調工程において、第１の変調工程で得られた信号の振幅を、第１の伝送レートよりも遅い第２の伝送レートで変化する２値以上の多値の第２のデジタル信号のデータ値に応じて、第２の伝送レートで変化させる。第２の変調工程で得られた信号を送信する。【選択図】図１
2011166458.tif 000002
【特許請求の範囲】
【請求項１】
第１の伝送レートで変化する２値以上の多値の第１のデジタル信号のデータ値に応じて、前記第１の伝送レートで搬送波の周波数または位相を変化させる第１の変調工程と、
前記第１の変調工程で得られた信号の振幅を、前記第１の伝送レートよりも遅い第２の伝送レートで変化する２値以上の多値の第２のデジタル信号のデータ値に応じて、前記第２の伝送レートで変化させる第２の変調工程と、
前記第２の変調工程で得られた信号を送信する送信工程と、
を有するデジタル信号送信方法。
【請求項２】
請求項１に記載のデジタル信号送信方法において、
前記第２のデジタル信号は、受信側で前記第１のデジタル信号から所望の情報を取得するための情報である
ことを特徴とするデジタル信号送信方法。
【請求項３】
請求項２に記載のデジタル信号送信方法において、
前記第２のデジタル信号は、暗号化されている前記第１のデジタル信号の暗号を解読するための暗号化キーの情報である
ことを特徴とするデジタル信号送信方法。
【請求項４】
請求項１〜請求項３のいずれかに記載のデジタル信号送信方法において、
前記第１のデジタル信号および前記第２のデジタル信号を送信する前に、基準のデジタル信号を前記第１の変調工程および前記第２の変調工程を通じてプリアンブルとして送信する工程を備える
ことを特徴とするデジタル信号送信方法。
【請求項５】
第１の伝送レートで変化する２値以上の多値の第１のデジタル信号のデータ値に応じて、前記第１の伝送レートで搬送波の周波数または位相が変化させられて得られた信号の振幅が、前記第１の伝送レートよりも遅い第２の伝送レートで変化する２値以上の多値の第２のデジタル信号のデータ値に応じて変化させられて送信されてくる送信信号を受信して、前記第１のデジタル信号および前記第２のデジタルを復調するデジタル信号受信方法であって、
前記受信した信号の搬送波の周波数または位相の変化を検出して、前記第１のデジタル信号を復調する第１の復調工程と、
前記受信した信号の信号レベルから、前記第２のデジタル信号を復調して得る第２の復調工程と、
を有することを特徴とするデジタル信号受信方法。
【請求項６】
２値以上の多値の第１のデジタル信号を、第１の伝送レートで発生する第１のデジタル信号発生手段と、
２値以上の多値の第２のデジタル信号を、前記第１の伝送レートよりも遅い第２の伝送レートで発生する第２のデジタル信号発生手段と、
前記第１のデジタル信号発生手段からの前記第１のデジタル信号のデータ値に応じて、搬送波の周波数または位相を変化させる第１の変調手段と、
前記第１の変調手段で得られた信号の振幅を、前記第２のデジタル信号発生手段からの前記第２のデジタル信号のデータ値に応じて変化させる第２の変調手段と、
前記第２の変調手段で得られた信号を送信する送信手段と、
を備えるデジタル信号送信装置。
【請求項７】
第１の伝送レートで変化する２値以上の多値の第１のデジタル信号のデータ値に応じて、前記第１の伝送レートで搬送波の周波数または位相が変化させられて得られた信号の振幅が、前記第１の伝送レートよりも遅い第２の伝送レートで変化する２値以上の多値の第２のデジタル信号のデータ値に応じて変化させられて送信されてくる送信信号を受信して、前記第１のデジタル信号および前記第２のデジタルを復調するデジタル信号受信装置であって、
前記受信した信号の搬送波の周波数または位相の変化を検出して、前記第１のデジタル信号を復調する第１の復調手段と、
前記受信した信号の信号レベルから、前記第２のデジタル信号を復調して得る第２の復調手段と、
を備えることを特徴とするデジタル信号受信装置。
【発明の詳細な説明】
【技術分野】
【０００１】
この発明は、例えば無線ＬＡＮにおいてデジタル信号の送信および受信を行う場合に適用して好適なデジタル信号送信方法、デジタル信号受信方法、デジタル信号送信装置およびデジタル信号受信装置に関する。
【背景技術】
【０００２】
例えば無線ＬＡＮなどの無線通信において、デジタル信号の伝送を行う場合には、デジタル変調方式が用いられる。このデジタル変調方式の例としては、例えばＦＳＫ(Frequency  Shift  Keying：周波数偏移変調)、ＰＳＫ（Phase  Shift  Keying：位相偏移変調)、ＡＳＫ（Amplitude  Shift  Keying：振幅偏移変調)などが知られている。
【０００３】
ＦＳＫは、デジタル信号のデータ値に応じて搬送波の周波数を変化させる方式である。ＰＳＫは、デジタルのデータ値に応じて搬送波の位相を変化させる方式である。ＡＳＫは、デジタル信号のデータ値に応じて搬送波の振幅を変化させる方式である。
【０００４】
また、ＡＳＫとＰＳＫとを組み合わせたＱＡＭ（Quadrature  Amplitude  Modulation）も知られている。このＱＡＭは、デジタル信号のデータ値により、搬送波の位相と振幅とを同時に変化させることにより多値シンボルを得て、通信速度を上げることができて伝送効率が良い変調方式である。
【０００５】
このＱＡＭの一例を、図５および図６を用いて説明する。図５は、位相と振幅とを互いに直交する座標軸にとった位相−振幅座標空間における（位相，振幅）座標に対して割り当てられる多値シンボルの例を示すものである。図５の例は、１６個の位相と振幅の組み合わせ、すなわち、１６個の（位相，振幅）座標に対して１６シンボルを割り当てる１６ＱＡＭの場合の例である。
【０００６】
すなわち、図５の位相−振幅座標において、丸で数字を囲んだ位置がこの例の１６ＱＡＭにおける１６シンボルの座標位置であり、丸で囲んだ０〜１５の数字は、この例の１６ＱＡＭにおける各シンボルに対応して伝送するデジタル信号のデータ値を示している。図５の例では、
（位相，振幅）＝（１，１）＝０
＝（−１，１）＝１
＝（−１，−１）＝２
＝（１，−１）＝３
＝（２，１）＝４
＝（２，２）＝５
＝（１，２）＝６
＝（−１，２）＝７
＝（−２，２）＝８
＝（−２，１）＝９
＝（−２，−１）＝１０
＝（−２，−２）＝１１
＝（−１，−２）＝１２
＝（１，−２）＝１３
＝（２，−２）＝１４
＝（２，−１）＝１５
というように、各シンボルに対してデータ値が割り付けられている。
【０００７】
したがって、この例の１６ＱＡＭによって、「５３０１２８」というデジタル信号の多値のデータを伝送する場合には、図６に示すように、そのデジタル信号のデータ値のそれぞれに対して図５のように割り付けられたシンボルに対応する位相および振幅となるように、搬送波の位相および振幅を変化させて伝送するようにする。
【０００８】
なお、図５においては、この場合に伝送するデータ値「５３０１２８」に対して用いられるシンボルを網掛けして示し、伝送データ値に応じて、矢印で示すような順序で、シンボルが選択され、搬送波の位相および振幅が変えられてゆくことを示している。
【先行技術文献】
【特許文献】
【０００９】
【特許文献１】特開２００４−０５６７３４号公報
【特許文献２】特開２００２−２９０４１７号公報
【発明の概要】
【発明が解決しようとする課題】
【００１０】
ところで、ＱＡＭは、伝送効率が良いデジタル変調方式であるが、位相と振幅とを変調要素として用いているにも拘らず、伝送するデジタル信号のデータ値は、１個であり、２個のデジタル信号のデータ値を同時に伝送することはできない。
【００１１】
したがって、通信データの秘匿性を高めるためには、暗号化などを行ったり、パスワードや認証情報を用いる必要があるが、ＱＡＭでは、伝送データのみしか送れないので、暗号化キーやパスワード、認証情報などは、伝送データとは別個に送る必要があった。
【００１２】
また、ＱＡＭは、位相と振幅とを共通のクロックレートで同時に同期して変化させる必要があるが、この場合に、特に、振幅について送信アンプの過渡応答が重要である。このため、応答速度を重視して、送信アンプとしては、一般的に、大きなバックオフ（余裕）を持たせたアンプを使用している。このため、電力消費が大きくなってしまうという問題があった。
【００１３】
この発明は、以上の点にかんがみ、２個の異なるデジタル信号を同時に伝送することができると共に、送信時の電力消費を抑えることができるデジタル信号の送信方法を提供することを目的とする。
【課題を解決するための手段】
【００１４】
上記の課題を解決するために、この発明は、
第１の伝送レートで変化する２値以上の多値の第１のデジタル信号のデータ値に応じて、前記第１の伝送レートで搬送波の周波数または位相を変化させる第１の変調工程と、
前記第１の変調工程で得られた信号の振幅を、前記第１の伝送レートよりも遅い第２の伝送レートで変化する２値以上の多値の第２のデジタル信号のデータ値に応じて、前記第２の伝送レートで変化させる第２の変調工程と、
前記第２の変調工程で得られた信号を送信する送信工程と、
を有するデジタル信号送信方法を提供する。
【００１５】
上述の構成のこの発明においては、先ず、第１の変調工程において、搬送波は、第１の伝送レートで、第１のデジタル信号のデータ値に応じて、その周波数または位相が変化させられる。この変調処理はＦＳＫまたはＰＳＫに対応する。
【００１６】
次に、第２の変調工程において、第１の変調工程における変調後の信号の振幅が、第１の伝送レートよりも遅い第２の伝送レートで、第２のデジタル信号のデータ値に応じて変化させられる。この第２の変調工程での処理は、ＡＳＫの変調処理に対応する。そして、送信工程において、第２の変調工程で得られた信号が送信される。
【００１７】
こうして、この発明によれば、２個のデジタル信号の一方が搬送波の周波数または位相の変化により伝送され、他方が、振幅の変化により伝送される。つまり、２個のデジタル信号が同時に伝送される。
【００１８】
そして、この発明の場合には、搬送波の振幅の変化により伝送される第２のデジタル信号の伝送レートは、搬送波の周波数または位相の変化により伝送される第１のデジタル信号の伝送レートと同じにする必要はなく、送信アンプの応答速度を重視しなくても良いほどの低速にすることができるので、送信電力消費を抑えることができる。
【００１９】
そして、この発明によれば、例えば請求項２のように、第２のデジタル信号として、第１のデジタル信号から所望の情報を取得するための情報、例えばパスワードや識別情報、あるいは認識符号を、第１のデジタル信号と同時に伝送することができる。また、例えば請求項３のように、第２のデジタル信号は、暗号化されている前記第１のデジタル信号の暗号を解読するための暗号化キーの情報とすることもできる。
【００２０】
したがって、この請求項２，３の発明によれば、第１のデジタル信号を復調するだけでなく、第２のデジタル信号を復調することができない限り、第１のデジタル信号から、利用可能な情報を得ることができないので、この発明のデジタル信号送信方法に対応した受信方法以外では、所望の情報を得ることはできず、伝送情報の秘匿性を確保することができる。
【発明の効果】
【００２１】
この発明によれば、２個の異なるデジタル信号を同時に伝送することができると共に、送信時の電力消費を抑えることができるデジタル信号の送信方法を提供することができる。また、この発明によれば、伝送情報の秘匿性を確保したデジタル信号の送信方法を提供することができる。
【図面の簡単な説明】
【００２２】
【図１】この発明によるデジタル信号送信装置の実施形態を示すブロック図である。
【図２】この発明によるデジタル信号送信装置の実施形態の処理動作を説明するために用いる図である。
【図３】この発明によるデジタル信号受信装置の実施形態を示すブロック図である。
【図４】図３の一部の構成例を示す図である。
【図５】ＱＡＭを説明するための図である。
【図６】ＱＡＭを説明するための図である。
【発明を実施するための形態】
【００２３】
［デジタル信号送信方法の実施形態］
図１は、この発明によるデジタル信号送信方法の実施形態が適用されたデジタル信号送信装置の一例のブロック図である。また、図２は、このデジタル信号送信装置の例における送信信号を説明するための図である。以下、この図１および図２を参照して、デジタル信号送信方法の実施形態について説明する。
【００２４】
以下に説明する実施形態においては、第１の変調工程では、ＦＳＫ（周波数偏移変調）が行われる。また、この実施形態では、送信される第１のデジタル信号は、伝送すべきデータを暗号化キーを用いて暗号化処理を施したものされていると共に、送信される第２のデジタル信号は、この暗号化に用いられた暗号化キーの情報とされる。そして、この実施形態では、送信される第１および第２のデジタル信号は、「０」、「１」の２値データの場合とされる。
【００２５】
図１の例のデジタル信号送信装置は、送信用デジタル信号発生部１０を備える。送信用デジタル信号発生部１０は、この例では、送信データ発生部１０１と、暗号化部１０２と、暗号化キー発生部１０３と、分周器１０４とを備える。この送信用デジタル信号発生部１０は、この例では、メモリを備えるマイクロコンピュータにより構成され、各部は、ソフトウエアプログラムにより実行されるソフトウエア機能部として構成される。なお、この送信用デジタル信号発生部１０は、図示した各部とその他必要な各部をハードウエアにより構成することも勿論できる。
【００２６】
送信データ発生部１０１は、メモリを含み、伝送すべきデータがこれに予め保持される。そして、図示を省略した制御部からの送信開始指示に応じて、この送信データ発生部１０１からは、保持されていた伝送すべきデータが読み出されて、暗号化部１０２に供給される。
【００２７】
暗号化部１０２は、送信データ発生部１０１からの伝送すべきデータに対して、暗号化キー発生部１０３からの暗号化キーを用いて暗号化処理を施し、暗号化処理後のデータを、送信される第１のデジタル信号Ｓｆとして出力する。
【００２８】
この実施形態においては、送信データ発生部１０１および暗号化部１０２には、所定のクロックレートのクロック信号ＣＬＫが供給されており、暗号化処理後のデータは、このクロック信号ＣＬＫのクロックレートの信号とされる。つまり、この実施形態では、送信される第１のデジタル信号Ｓｆの伝送レートＲｆは、クロック信号ＣＬＫのクロックレートに等しいものとされる。この例においては、暗号化部１０２が、第１のデジタル信号発生手段を構成するものである。
【００２９】
暗号化キー発生部１０３は、メモリを含み、伝送すべきデータを暗号化するときの暗号化キーのデータが、これに予め保持されている。暗号化部１０２は、図示を省略した制御部からの送信開始指示に応じて、この暗号化キー発生部１０３に要求して、保持されていた暗号化キーのデータを取得し、暗号化処理に用いる。
【００３０】
また、暗号化キー発生部１０３には、クロック信号ＣＬＫが分周器１０４により分周されて、クロック信号ＣＬＫよりも低周波数のクロック信号ＣＬＫａが供給されている。暗号化キー発生部１０３は、図示を省略した制御部からの送信開始指示に応じて、このクロック信号ＣＬＫａのクロックレートＲａで、暗号化キーのデータを、送信する第２のデジタル信号Ｓａとして出力する。クロック信号ＣＬＫａは、クロック信号ＣＬＫを分周したものであり、第２のデジタル信号Ｓａの伝送レートＲａは、第１のデジタル信号Ｓｆの伝送レートＲｆよりも遅いものとなる。ただし、クロック信号ＣＬＫａは、クロック信号ＣＬＫを分周したものであるので、クロック信号ＣＬＫとは同期関係にある。この例においては、暗号化キー発生部１０３は、第２のデジタル信号発生手段を構成するものである。
【００３１】
以上のようにして、この実施形態では、送信用デジタル信号発生部１０においては、送信開始指示に応じて、暗号化部１０２からは、伝送すべきデータを暗号化処理したものである第１のデジタル信号Ｓｆが、暗号化キー発生部１０３からは、その暗号化のための暗号化キーのデータからなる第２のデジタル信号Ｓａが、それぞれ出力される。
【００３２】
ただし、送信用デジタル信号発生部１０の暗号化部１０２および暗号化キー発生部１０３からは、送信信号の先頭の時点においては、後述するように、伝送すべきデータの暗号化データおよび暗号化キーのデータに先立ち、前記第１のデジタル信号Ｓｆおよび第２のデジタル信号Ｓａとして、プリアンブル信号を送出する。このプリアンブル信号は、第１のデジタル信号Ｓｆおよび第２のデジタル信号Ｓａのそれぞれとして、例えば、「０」と「１」とを交互にそれぞれの伝送レートで繰り返すものであり、例えば第１のデジタル信号Ｓｆの３〜２０バイト分の期間、送出される。
【００３３】
後述するように、受信側においては、このプリアンブル信号における受信信号強度（ＲＳＳＩ（Received  Signal  Strength  Indication））を判別し、ＡＳＫ変調信号の復調閾値を定めるようにする。ＡＳＫを用いた信号伝送においては、送信ＲＦ信号の電界強度レベルが伝送路の状況によって変動するが、このように、受信側で、受信したプリアンブル信号における受信信号強度を判別して、ＡＳＫ変調信号の復調閾値を定めることにより、前記伝送路の状況による送信ＲＦ信号の電界強度レベルの変動に対処することができる。なお、プリアンブル信号は、受信側において、データクロックの再生をするためにも用いられる。
【００３４】
送信用デジタル信号発生部１０の暗号化部１０２から出力される第１のデジタル信号Ｓｆは、ＦＳＫ変調器１１に供給される。ＦＳＫ変調器１１は、これに入力される第１のデジタル信号Ｓｆのデータ値が「０」であるときには、低周波数ｆ１の搬送波信号を出力し、第１のデジタル信号Ｓｆのデータ値が「１」であるときには、高周波数ｆ２（＞ｆ１）の搬送波信号を出力する。
【００３５】
このＦＳＫ変調器１１からの信号は、フィルタ１２を通じて不要帯域成分が除去された後、ミキサ回路１３に供給される。また、例えば可変周波数発振器からなる局部発振器１４からの局部発振周波数信号が、このミキサ回路１３に供給される。ミキサ回路１３では、フィルタ１２を通じたＦＳＫ変調器１１からの信号が、局部発振器１４からの局部発振周波数信号により、周波数変換されて、送信周波数信号とされる。
【００３６】
このミキサ回路１３からの送信周波数信号は、可変利得アンプ（送信アンプ）１５に供給される。そして、この可変利得アンプ１５には、利得制御信号として、送信用デジタル信号発生部１０からの第２のデジタル信号Ｓａが供給される。
【００３７】
この可変利得アンプ１５は、ＡＳＫ変調器を構成するものである。すなわち、可変利得アンプ１５は、送信用デジタル信号発生部１０からの第２のデジタル信号Ｓａのデータ値が「０」であるときには、ミキサ１３からの送信周波数信号の振幅を、比較的小振幅Ａ１となるように制御し、送信用デジタル信号発生部１０からの第２のデジタル信号Ｓａのデータ値が「１」であるときには、ミキサ１３からの送信周波数信号の振幅を、比較的大振幅Ａ２（＞Ａ１）となるように制御する。
【００３８】
以上のようにして、第１のデジタル信号ＳｆによりＦＳＫ変調され、第２のデジタル信号ＳａによりＡＳＫ変調されて得られた送信周波数信号は、可変利得アンプ１５からフィルタ１６を通じて帯域制限された後、送信アンテナ１７を通じて無線送信される。
【００３９】
次に、図２を参照して、この実施形態のデジタル信号送信装置から送信される信号について説明する。
【００４０】
図２（Ｃ）は、図１に示したこの実施形態のデジタル信号送信装置から送信される信号の変調を説明するための模式図である。また、図２（Ａ）は、送信用デジタル信号発生部１０から第２のデジタル信号Ｓａを出力するためのクロック信号ＣＬＫａを示すものであり、また、図２（Ｂ）は、第２のデジタル信号Ｓａの例を示している。さらに、図２（Ｅ）は、送信用デジタル信号発生部１０から第１のデジタル信号Ｓｆを出力するためのクロック信号ＣＬＫを示すものであり、また、図２（Ｄ）は、第１のデジタル信号Ｓｆの例を示している。
【００４１】
この図２（Ａ）および（Ｅ）に示すように、この例では、クロック信号ＣＬＫは、クロック信号ＣＬＫａの４倍の周波数の信号である。つまり、分周器１０４では、クロック信号ＣＬＫが１／４に分周されて、クロック信号ＣＬＫａとされる。
【００４２】
そして、前述したように、送信データ発生部１０からは、伝送すべき伝送データに先立ち、プリアンブルの信号が、第１のデジタル信号Ｓｆおよび第２のデジタル信号Ｓａのそれぞれとして送出される。このプリアンブル信号は、この例では、デジタル信号が２値データであるので、第１のデジタル信号Ｓｆおよび第２のデジタル信号Ｓａの両方共に、「０」のデータ値と、「１」のデータ値とが交互に連続する信号であって、例えば第１のデジタル信号Ｓｆの２０バイト分（第２のデジタル信号Ｓａでは５バイト分となる）の区間だけ発生される。
【００４３】
なお、図２（Ｃ）において、左側の周波数軸に示されているＦＳＫ＿Ｌｏは、第１のデジタル信号Ｓｆがローレベル、すなわち、データ値が「０」で、搬送波の周波数がｆ１であることを示しており、また、ＦＳＫ＿Ｈｉは、第１のデジタル信号Ｓｆがハイレベル、すなわち、データ値が「１」で、搬送波の周波数がｆ２であることを示している。
【００４４】
また、図２（Ｃ）において、右側の振幅軸に示されているＡＳＫ＿Ｌｏは、第２のデジタル信号Ｓａがローレベル、すなわち、データ値が「０」で、振幅がＡ１であることを示しており、また、ＡＳＫ＿Ｈｉは、第１のデジタル信号Ｓａがハイレベル、すなわち、データ値が「１」で、振幅がＡ２であることを示している。
【００４５】
そして、図２の例では、プリアンブル区間の後のデータ区間においては、第１のデジタル信号Ｓｆとして、「０１００１０１１００１１００１０１１０１」というデータが送出され、第２のデジタル信号Ｓａとして、「０１００１」という暗号化キーのデータが送出される。
【００４６】
図２（Ｃ）の模式図に示されるように、第１のデジタル信号Ｓｆのデータ値により搬送波の周波数が変化させられることにより、第１のデジタル信号は伝送される。つまり、第１のデジタル信号は、ＦＳＫ変調信号として伝送されることになる。
【００４７】
そして、さらに、図２（Ｃ）の模式図に示されるように、第１のデジタル信号Ｓｆのデータ値により搬送波の周波数が変化させられた信号の振幅（送信パワー）が、第２のデジタル信号のデータ値により変化させられることにより、第２のデジタル信号が伝送される。つまり、第２のデジタル信号は、ＡＳＫ変調信号として伝送されることになる。こうして、この実施形態のデジタル信号送信方法によれば、第１のデジタル信号Ｓｆと第２のデジタル信号Ｓａとが、多重されて同時に送信される。
【００４８】
そして、この実施形態においては、ＦＳＫにより送られる第１のデジタル信号ＳｆとＡＳＫにより送られる第２のデジタル信号Ｓａとは同じクロックレートとする必要がなく、かつ、この実施形態では、ＡＳＫにより送られる第２のデジタル信号Ｓａの伝送レートは、第１のデジタル信号Ｓｆの伝送レートよりも遅くしている。
【００４９】
したがって、送信アンプ（可変利得アンプ１５）の過渡応答は、遅い伝送レートの第２のデジタル信号Ｓａに適応することができればよいので、送信アンプに大きなバックオフは必要なく、送信電力消費を抑えることができるという利点がある。
【００５０】
［デジタル信号受信方法の実施形態］
図３は、この発明によるデジタル信号受信方法の実施形態が適用されたデジタル信号受信装置の一例のブロック図である。また、図４は、図３の一部のブロックの詳細構成例を示すブロック図である。
【００５１】
この図３および図４の例のデジタル信号受信装置は、上述の実施形態の図１のデジタル信号送信装置から無線送信されてくる送信信号を受信して、第１のデジタル信号および第２のデジタル信号を復調し、さらに、第１のデジタル信号の暗号化を解読するようにするものである。
【００５２】
図３に示すように、受信アンテナ２１で受信された送信信号は、受信アンプ２２を通じてフィルタ２３に供給され、不要帯域成分が除去された後、ミキサ回路２４に供給される。このミキサ回路２４には、また、例えば可変周波数発振器からなる局部発振器２５からの局部発振周波数信号が供給される。
【００５３】
そして、ミキサ回路２４では、受信信号が、局部発振器２５からの局部発振周波数信号により周波数変換されて、送信側における元の周波数帯域の信号とされる。そして、このミキサ回路２４からの信号は、アンプ２６を通じてフィルタ２７に供給されて不要帯域成分が除去された後、ＦＳＫ復調器２８およびＡ／Ｄ変換器２９に供給される。
【００５４】
そして、ＦＳＫ復調器２８は、フィルタ２７からの信号について、周波数ｆ１はデータ値「０」に、周波数ｆ２はデータ値「１」に、それぞれ変換して２値化データを生成し、データ復元部３０に供給する。
【００５５】
また、Ａ／Ｄ変換器２９は、フィルタ２７からの信号の振幅をデジタル値に変換して、データ復元部３０に供給する。このＡ／Ｄ変換器２９からのデジタル値は、受信信号強度（ＲＳＳＩ）を示すものとなる。
【００５６】
データ復元部３０は、この例では、図４に示すような構成とされている。なお、データ復元部３０は、この例では、メモリを備えるマイクロコンピュータにより構成され、図４の各部は、ソフトウエアプログラムにより実行されるソフトウエア機能部として構成されるものである。なお、このデータ復元部３０は、図示した各部とその他必要な各部をハードウエアにより構成することも勿論できる。
【００５７】
図４に示すように、データ復元部３０は、クロック再生部３０１と、データ再生部３０２と、暗号解読部３０３と、２値化部３０４と、振幅閾値設定部３０５と、暗号化キー再生部３０６とを備えて構成されている。
【００５８】
Ａ／Ｄ変換器２９からのデジタル値は、データ復元部３０の２値化部３０４に供給されると共に振幅閾値設定部３０５に供給される。振幅閾値設定部３０５は、プリアンブル信号部分のＡ／Ｄ変換器２９からのデジタル値（ＲＳＳＩ）から、ＡＳＫ復調するための振幅閾値を設定し、設定した振幅閾値を２値化部３０４に供給する。
【００５９】
２値化部３０４は、Ａ／Ｄ変換器２９からのデジタル値と振幅閾値とを比較して、Ａ／Ｄ変換器２９からのデジタル値が、振幅閾値よりも小さいときにはデータ値「０」に、振幅閾値よりも大きいときにはデータ値「１」に、それぞれ変換して２値化データを生成する。そして、２値化部３０４は、２値化データをクロック再生部３０１に供給すると共に、暗号化キー再生部３０６に供給する。
【００６０】
また、ＦＳＫ復調器２８からの２値化データが、クロック再生部３０１に供給されると共にデータ再生部３０２に供給される。
【００６１】
クロック再生部３０１は、これに供給された２値化データから、クロック信号ＣＬＫおよびクロックＣＬＫａを再生し、再生したクロック信号ＣＬＫはデータ再生部３０２に、再生したクロック信号ＣＬＫａは暗号化キー再生部３０６に、それぞれ供給する。
【００６２】
そして、データ再生部３０２では、クロック再生部３０１からのクロック信号ＣＬＫによりＦＳＫ復調器２８からの２値化データがサンプリングされることにより、送信されてきた第１のデジタル信号が復元される。この第１のデジタル信号は、暗号化が施されているので、データ再生部３０２から暗号解読部３０３に供給される。
【００６３】
なお、図示は省略したが、このデータ再生部３０２においては、プリアンブル信号の区間の検出もなされ、そのプリアンブル信号区間の検出信号が、閾値設定部３０５に供給される。
【００６４】
また、暗号化キー再生部３０６では、クロック再生部３０１からのクロック信号ＣＬＫａにより２値化部３０４からの２値化データがサンプリングされることにより、送信されてきた第２のデジタル信号としての暗号化キーのデータが復元される。この暗号化キー再生部３０６からの復元された暗号化キーのデータは、暗号解読部３０３に供給される。
【００６５】
暗号解読部３０３は、暗号化キー再生部３０６からの暗号化キーのデータを用いて、データ再生部３０２からの第１のデジタル信号の暗号を解読し、その解読したデータを出力する。この暗号が解読されたデータは、メモリに記憶されるなどの処理がなされる。
【００６６】
以上のようにして、この実施形態のデジタル信号受信装置においては、第１のデジタル信号と、第２のデジタル信号との２個のデータが、一つの受信信号からそれぞれ独立して復調される。そして、この実施形態では、第１のデジタル信号は、第２のデジタル信号を暗号化キーとして暗号化されたものであるが、当該２個のデジタル信号が復調されることにより、第１のデジタル信号の暗号を解読処理することが可能になる。
【００６７】
［他の実施形態および変形例］
上述の説明では、図１にデジタル信号送信装置の実施形態を示し、図３および図４にデジタル信号受信装置の実施形態を示したが、送受信機能を備えるデジタル信号通信装置の場合においては、図１のデジタル信号送信装置の構成を、その送信系に備えると共に、図３および図４のデジタル信号受信装置の構成を、その受信系に備えるものである。
【００６８】
なお、上述の実施形態では、第１のデジタル信号は、ＦＳＫで伝送するようにしたが、この発明は、第１のデジタル信号をＰＳＫで伝送するようにする場合にも適用できるものである。
【００６９】
また、上述の実施形態の説明では、説明の簡単のため、伝送する２個のデジタル信号は、いずれも２値データとしたが、２値以上の多値データの場合にも、同様に、この発明が適用できることは言うまでもない。
【００７０】
また、上述の実施形態は、無線通信の場合であるが、この発明は、無線通信の場合のみに限定されるものではないことは勿論である。
【符号の説明】
【００７１】
１０…送信データ発生部、１１…ＦＳＫ変調器、１５…可変利得アンプ、２８…ＦＳＫ復調器、３０…データ復元部
【図１】
2011166458.tif 000003
【図２】
2011166458.tif 000004
【図３】
2011166458.tif 000005
【図４】
2011166458.tif 000006
【図５】
2011166458.tif 000007
【図６】
2011166458.tif 000008